(57)【要約】      （修正有）【課題】ＨＤＭＩ（登録商標）ケーブルの端子部近傍のスペースを有効に利用することができ、かつケーブル部の配線形態の意匠性を高めることができるＨＤＭＩケーブル用アタッチメントを提供する。【解決手段】端子部３と、端子部３に接続されたケーブル部５と、端子部３の一部が露出可能となるように端子部３を支持するキャップ部７と、を有するＨＤＭＩケーブル１、に装着されるためのＨＤＭＩケーブル用アタッチメント１０であって、キャップ部７に装着される装着本体部１２と、装着本体部１２に設けられ装着本体部１２がキャップ部７に装着されたときにケーブル部５の延在方向を変更するガイド部１４と、を有する。【選択図】図４
0003154848.tif 000002
【実用新案登録請求の範囲】
【請求項１】
端子部と、前記端子部に接続されたケーブル部と、前記端子部の一部が露出可能となるように前記端子部を支持するキャップ部と、を有するＨＤＭＩケーブル、に装着されるためのＨＤＭＩケーブル用アタッチメントであって、
前記キャップ部に装着される装着本体部と、
前記装着本体部に設けられ、前記装着本体部が前記キャップ部に装着されたときに前記ケーブル部の延在方向を変更するガイド部と、
を有することを特徴とするＨＤＭＩケーブル用アタッチメント。
【請求項２】
前記装着本体部は、前記キャップ部と係合するための係合部を備えたことを特徴とする請求項１に記載のＨＤＭＩケーブル用アタッチメント。
【請求項３】
前記ガイド部は、前記装着本体部との開き角度が略直角となるように前記装着本体部に接続され、
前記ガイド部は、前記装着本体部が前記キャップ部に装着されたときに、前記ケーブル部の延在方向を略直角に変更することを特徴とする請求項１又は２に記載のＨＤＭＩケーブル用アタッチメント。
【請求項４】
前記装着本体部と前記ガイド部との接続部位に、前記接続部位を補強するための補強部材を設けたことを特徴とする請求項３に記載のＨＤＭＩケーブル用アタッチメント。
【請求項５】
前記補強部材は、前記装着本体部と前記ガイド部との開き角度を維持することを特徴とする請求項４に記載のＨＤＭＩケーブル用アタッチメント。
【考案の詳細な説明】
【技術分野】
【０００１】
本考案は、ＨＤＭＩケーブルに装着されるＨＤＭＩケーブル用アタッチメントに関する。
【背景技術】
【０００２】
従来から家電機器に、ＨＤＭＩケーブルが用いられている。すなわち、ＨＤＭＩケーブルとは、一般に、ＨＤＭＩ端子を持つ高解像度テレビ・ブルーレイドライブ・ＤＶＤ／ＨＤＤレコーダ・プロジェクター・ゲーム機といった、ハイビジョン用ＡＶ機器同士を接続するための高品質ＨＤＭＩフラットケーブルである。高品質ＨＤＭＩフラットケーブルを用いることにより、ハイビジョンの映像と音声を１本のケーブルで高品質なまま伝送することができる。ここで、ＨＤＭＩケーブルは、端子部と、端子部と電気的に接続されたケーブル部と、端子部の一部が露出可能となるように設けられたキャップ部と、を有している。
【先行技術文献】
【特許文献】
【０００３】
【特許文献１】特開２００７−１４１７００号公報
【考案の概要】
【考案が解決しようとする課題】
【０００４】
ところで、上記高品質ＨＤＭＩフラットケーブルを使用すると、端子部からケーブル部がそのまま延在している。詳細には、端子部の延在方向とケーブル部の延在方向とが同じ方向であるため、端子部付近のスペースに家電機器やＡＶ機器を設置することができなくなり、デッドスペースが増えてしまう問題がある。特に、アパートやマンションなどのように、スペースに制限がある場合には、スペースの有効利用が図れず、不便である。
【０００５】
一方、端子部付近のスペースに家電機器やＡＶ機器を強引に設置すると、スペースに家電機器やＡＶ機器がケーブル部を無理な方向に曲げてしまい、ケーブル部の破損の原因になる。また、ケーブル部が不自然に曲げられると、見た目も悪くなり、意匠性が低下する問題が生じる。
【０００６】
そこで、本考案は、上記問題に鑑み、ＨＤＭＩケーブルの端子部近傍のスペースを有効に利用することができ、かつケーブル部の配線形態の意匠性を高めることができるＨＤＭＩケーブル用アタッチメントを提供する。
【課題を解決するための手段】
【０００７】
本考案は、端子部と、前記端子部に接続されたケーブル部と、前記端子部の一部が露出可能となるように前記端子部を支持するキャップ部と、を有するＨＤＭＩケーブル、に装着されるためのＨＤＭＩケーブル用アタッチメントであって、前記キャップ部に装着される装着本体部と、前記装着本体部に設けられ、前記装着本体部が前記キャップ部に装着されたときに前記ケーブル部の延在方向を変更するガイド部と、を有することを特徴とする。
【０００８】
また、この場合、前記装着本体部は、前記キャップ部と係合するための係合部を備えたことが好ましい。
【０００９】
また、この場合、前記ガイド部は、前記装着本体部との開き角度が略直角となるように前記装着本体部に接続され、前記ガイド部は、前記装着本体部が前記キャップ部に装着されたときに、前記ケーブル部の延在方向を略直角に変更することが好ましい。
【００１０】
また、この場合、前記装着本体部と前記ガイド部との接続部位に、前記接続部位を補強するための補強部材を設けたことが好ましい。
【００１１】
さらに、この場合、前記補強部材は、前記装着本体部と前記ガイド部との開き角度を維持することが好ましい。
【考案の効果】
【００１２】
本考案によれば、ＨＤＭＩケーブルの端子部近傍のスペースを有効に利用することができ、かつケーブル部の配線形態の意匠性を高めることができる。
【図面の簡単な説明】
【００１３】
【図１】本考案の第１実施形態に係るＨＤＭＩケーブル用アタッチメントの構成図であり、（Ａ）はその右側面図であり、（Ｂ）はその正面図であり、（Ｃ）はその背面図であり、（Ｄ）はその平面図である。
【図２】本考案の第１実施形態に係るＨＤＭＩケーブル用アタッチメントの斜視図である。
【図３】本考案の第１実施形態に係るＨＤＭＩケーブル用アタッチメントがＨＤＭＩケーブルに装着される前の状態を示した斜視図である。
【図４】本考案の第１実施形態に係るＨＤＭＩケーブル用アタッチメントがＨＤＭＩケーブルに装着された後の状態を示した斜視図である。
【考案を実施するための形態】
【００１４】
本考案の第１実施形態に係るＨＤＭＩケーブル用アタッチメントについて、図面を参照して説明する。
【００１５】
図１乃至図４に示すように、ＨＤＭＩケーブル用アタッチメント１０は、ＨＤＭＩケーブル１に装着されるものである。ここで、図３及び図４に示すように、ＨＤＭＩケーブル１は、家電機器やＡＶ機器、コネクタなどに接続されるものであり、例えば、端子部３と、端子部３から延在するように設けられたケーブル部５と、端子部３及びケーブル部５の一部が露出可能となるように設けられたキャップ部７と、を有している。
【００１６】
図３及び図４に示すように、端子部３は、他の家電機器やＡＶ機器、コネクタなどに接続されるものであり、例えば、ＨＤＭＩ入力側端子とＨＤＭＩ出力側端子がある。ケーブル部５は、信号を送信するものであり、端子部３に電気的に接続される。ケーブル部５は、例えば、フラットケーブルが用いられる。なお、ケーブル部５は、端子部３の延在方向と同じ方向に延在しており、所定の曲げ強度を有している。このため、ケーブル部５の張り（コシ）が強くなっている。キャップ部７は、端子部３を把持（支持）するように設けられており、端子部３とケーブル部５との接続部位を覆うものである。このため、キャップ部７から端子部３及びケーブル部５の一部が露出している。
【００１７】
図１及び図２に示すように、ＨＤＭＩケーブル用アタッチメント１０は、キャップ部７に装着される装着本体部１２と、装着本体部１２に一体形成されるガイド部１４と、で構成されている。
【００１８】
装着本体部１２は、キャップ部７の表面に装着されるものである。装着本体部１２は、例えば、プラスチック樹脂で構成されている。装着本体部１２は、カバー部１２Ａと、カバー部１２Ａの両側面に形成された一対の係合片（係合部）１２Ｂと、で構成されている。カバー部１２Ａは、キャップ部７の一部を覆うものである。係合片１２Ｂの先端部には、爪部（係合部）１２Ｃが形成されている。カバー部１２Ａがキャップ部７に装着した状態では、係合片１２Ｂがキャップ部７の側面側に位置するとともに、爪部１２Ｃがキャップ部７に形成された係合孔７Ａに進入する。これにより、ＨＤＭＩケーブル用アタッチメント１０とキャップ部７とが強固に係合された状態になり、ＨＤＭＩケーブル用アタッチメント１０がキャップ部７に対して位置ずれすることを防止できる。
【００１９】
ガイド部１４は、装着本体部１２の延在方向に対して略直交する方向に延びるように、装着本体部１２に一体形成されている。換言すれば、ガイド部１４は、装着本体部１２との開き角度が略直角となるように装着本体部１２に接続された状態になっている。そして、装着本体部１２がキャップ部７に装着した状態で、ガイド部１４は、ケーブル部５に所定の応力を作用させ、ケーブル部５の延在方向を略直角に変更する。なお、「ケーブル部５の延在方向を略直角に変更する」とは、ケーブル部５の所定の部位を基準として略９０度曲げることを意味する。このように、装着本体部１２がキャップ部７に装着した状態で、ガイド部１４は、ケーブル部５を所定の圧力で押圧し、９０度押し曲げる。ガイド部１４は、ケーブル部５の延在方向を所定の方向に変更するためのガイド機能を有している。なお、ガイド部１４は、装着本体部１２と別体で構成され、装着本体部１２に対して着脱自在に構成されていてもよい。
【００２０】
ここで、装着本体部１２とガイド部１４との接続部位の裏面側には、一対の補強部材１６が一体形成されている。各補強部材１６は、装着本体部１２（ガイド部１４）の幅方向両側にそれぞれ形成されている。これにより、ガイド部１４と装着本体部１２との接続部位の強度が補強されるため、装着本体部１２とガイド部１４との開き角度（本実施形態では、略９０度）が維持された状態になる。また、ガイド部１４と装着本体部１２との接続部位の強度を確保できるため、ガイド部１４と装着本体部１２との接続部位で破損することを防止できる。
【００２１】
本考案の第１実施形態に係るＨＤＭＩケーブル用アタッチメント１０の作用について説明する。
【００２２】
図３及び図４に示すように、ＨＤＭＩケーブル用アタッチメント１０をＨＤＭＩケーブル１に装着する。具体的には、ＨＤＭＩケーブル用アタッチメント１０の装着本体部１２をＨＤＭＩケーブル１のキャップ部７の表面に沿わせるようにして装着する。装着本体部１２の係合片１２Ｂがキャップ部７の両側面に位置し、爪部１２Ｃがキャップ部７の係合孔７Ａに引っ掛けられることにより、装着本体部１２がキャップ部７に対して強固に位置決めされ、ＨＤＭＩケーブル用アタッチメント１０がＨＤＭＩケーブル１に装着される。これにより、ＨＤＭＩケーブル用アタッチメント１０の装着本体部１２がＨＤＭＩケーブル１のキャップ部７に対して位置ずれすることを防止できる。
【００２３】
ＨＤＭＩケーブル用アタッチメント１０の装着本体部１２がＨＤＭＩケーブル１のキャップ部７に装着されるときに、ガイド部１４がケーブル部５に対して所定の圧力で押圧する。ここで、装着本体部１２とガイド部１４とは略直交しているため（開き角度が略９０度であるため）、ガイド部１４に押されたケーブル部５は、略直角（略９０度）に曲げられる。この結果、ケーブル部５は、途中の部位で略直角（略９０度）に曲げられ、キャップ部７に対して直交する方向に延びる。
【００２４】
また、ケーブル部５は、所定の曲げ強度を有しているため、ケーブル部５は、ガイド部１４に押されると、元の状態に戻ろうとする。このとき、ガイド部１４は、ケーブル部５からの反作用力を受けることになり、この力は装着本体部１２に伝達される。しかし、装着本体部１２の係合片１２Ｂの爪部１２Ｃがキャップ部７の係合孔７Ａで係合されているため、装着本体部１２とキャップ部７との係合状態が強固になっている。この結果、装着本体部１２がキャップ部７から外れてしまうことを防止でき、ＨＤＭＩケーブル用アタッチメント１０のＨＤＭＩケーブル１に対する装着安定性を高精度で維持することができる。
【００２５】
また、ガイド部１４にケーブル部５からの反作用力が作用した場合には、ガイド部１４がこの反作用力を受けてガイド部１４と装着本体部１２との接続部位に応力集中が発生し、この部位で破損し易くなる。しかし、ガイド部１４と装着本体部１２との接続部位に補強部材１６が設けられているため、接続部位の強度を上げることができる。この結果、ガイド部１４と装着本体部１２との接続部位の耐性が増加し、当該接続部位での破損を防止できる。
【００２６】
以上のように、本実施形態によれば、ＨＤＭＩケーブル用アタッチメント１０をワンタッチでＨＤＭＩケーブル１に装着することができ、かつ同時に、ケーブル部５を略９０度だけ曲げることができる。これにより、ＨＤＭＩケーブル１のケーブル部５が家電、ＡＶ機器、家屋の壁部に接触することがなく、ＨＤＭＩケーブル１のケーブル部５の配線状態の意匠性を高めることができる。さらに、ケーブル部５を略９０度曲げることにより、ＨＤＭＩケーブル１の端子部３近傍のデッドスペースを最小限にするとともに、端子部３近傍のスペースを有効利用することができる。
【符号の説明】
【００２７】
１      ＨＤＭＩケーブル
３      端子部
５      ケーブル部
７      キャップ部
１０    ＨＤＭＩケーブル用アタッチメント
１２    装着本体部
１２Ｂ  係合片（係合部）
１２Ｃ  爪部（係合部）
１４    ガイド部
１６    補強部材
【図１】
0003154848.tif 000003
【図２】
0003154848.tif 000004
【図３】
0003154848.tif 000005
【図４】
0003154848.tif 000006
【手続補正書】
【提出日】平成21年8月18日(2009.8.18)
【手続補正１】
【補正対象書類名】実用新案登録請求の範囲
【補正対象項目名】全文
【補正方法】変更
【補正の内容】
【実用新案登録請求の範囲】
【請求項１】
端子部と、前記端子部に接続されたケーブル部と、前記端子部の一部が露出可能となるように前記端子部を支持するキャップ部と、を有するＨＤＭＩ（登録商標）ケーブル、に装着されるためのＨＤＭＩ（登録商標）ケーブル用アタッチメントであって、
前記キャップ部に装着される装着本体部と、
前記装着本体部に設けられ、前記装着本体部が前記キャップ部に装着されたときに前記ケーブル部の延在方向を変更するガイド部と、
を有することを特徴とするＨＤＭＩ（登録商標）ケーブル用アタッチメント。
【請求項２】
前記装着本体部は、前記キャップ部と係合するための係合部を備えたことを特徴とする請求項１に記載のＨＤＭＩ（登録商標）ケーブル用アタッチメント。
【請求項３】
前記ガイド部は、前記装着本体部との開き角度が略直角となるように前記装着本体部に接続され、
前記ガイド部は、前記装着本体部が前記キャップ部に装着されたときに、前記ケーブル部の延在方向を略直角に変更することを特徴とする請求項１又は２に記載のＨＤＭＩ（登録商標）ケーブル用アタッチメント。
【請求項４】
前記装着本体部と前記ガイド部との接続部位に、前記接続部位を補強するための補強部材を設けたことを特徴とする請求項３に記載のＨＤＭＩ（登録商標）ケーブル用アタッチメント。
【請求項５】
前記補強部材は、前記装着本体部と前記ガイド部との開き角度を維持することを特徴とする請求項４に記載のＨＤＭＩ（登録商標）ケーブル用アタッチメント。